(57)【特許請求の範囲】
【請求項１】
撮像手段と、前記撮像手段を介して撮像された画像を表示する表示手段と、前記表示手段にリアルタイムで表示されている画像に基づき、前記表示手段に表示された画像内の第１の対象物に関連する情報を取得する対象物関連情報取得手段を有し、前記対象物関連情報取得手段を介して取得された情報を前記表示手段に表示する携帯情報端末において、
音声情報取得手段を有し、
前記対象物関連情報取得手段は、さらに、前記音声情報取得手段を介して取得された音声情報に基づき、前記表示手段に表示された画像内の第１の対象物及び前記撮像手段の撮影範囲外の第２の対象物に関連する情報を取得し、
前記表示手段は、さらに、前記対象物関連情報取得手段を介して取得された前記第２の対象物に関連する情報を、前記第１の対象物に関連する情報とともに、前記表示手段における該撮像手段を介して撮像された画像が表示されている表示画面に表示することを特徴とする携帯情報端末。
【請求項２】
前記音声情報取得手段は、音声情報取得範囲が前記撮像手段の撮影範囲内における一部のみの範囲と撮影範囲外を含む指向性を有するマイクで構成されていることを特徴とする請求項１に記載の携帯情報端末。
【請求項３】
前記音声情報取得手段は、音声情報取得範囲が前記撮像手段の撮影範囲内における全範囲と撮影範囲外を含む指向性を有するマイクで構成されていることを特徴とする請求項１に記載の携帯情報端末。
【請求項４】
前記音声情報取得手段は、指向性を有するマイクで構成されていることを特徴とする請求項１に記載の携帯情報端末。
【請求項５】
前記音声情報取得手段を介して取得された音声情報から特徴音を検出し峻別する特徴音検出手段を有することを特徴とする請求項１〜４のいずれかに記載の携帯情報端末。
【請求項６】
前記対象物関連情報取得手段が、前記第１の対象物および前記第２の対象物に関連する簡易情報を取得する簡易情報取得手段と、前記第１の対象物および前記第２の対象物に関連する詳細情報を取得する詳細情報取得手段を有し、
前記撮像手段を介して撮像された撮影画像又は前記音声情報取得手段を介して取得された音声情報に基づき、得られた前記簡易情報が前記表示画面に表示されている、該撮像手段の撮影範囲内の第１の対象物または撮影範囲外の第２の対象物のうち、前記詳細情報取得手段を介して取得され得る詳細情報の前記表示手段への表示を所望する対象物を指定する対象物指定手段を有することを特徴とする請求項１〜５のいずれかに記載の携帯情報端末。
【請求項７】
前記撮像手段を介して撮像された撮影画像又は前記音声情報取得手段を介して取得された音声情報に基づき、該撮像手段の撮影範囲内の第１の対象物または撮影範囲外の第２の対象物に関連する情報を表示可能な対象物を抽出し、抽出された対象物について前記対象物関連情報取得手段を介して取得された関連情報を前記表示画面に表示するようにしたことを特徴とする請求項１〜６のいずれかに記載の携帯情報端末。
【請求項８】
請求項１〜７のいずれかに記載の携帯情報端末における前記対象物関連情報取得手段を介して検索可能なデータベースを備えたサーバと、
前記サーバと通信可能な通信手段を備えた、請求項１〜７のいずれかに記載の携帯情報端末とからなることを特徴とする携帯情報システム。
【発明の詳細な説明】
【技術分野】
【０００１】
本発明は、例えば動物園や水族館において撮影装置により撮影している対象物について、その場でその画像に関連する情報を表示するようにした携帯情報端末及び携帯情報システムに関するものであり、特に画像のみでなくマイクにより捕捉した音に対しての情報も表示できるようにしたものである。
【背景技術】
【０００２】
撮影装置により撮影した画像に関し、その画像に関連する情報を表示するようにしたものとしては、例えば特許文献１に示すものがある。
【特許文献１】特開２００１−３１８９２８号公報
【発明の開示】
【発明が解決しようとする課題】
【０００３】
しかし、上記特許文献１に示されるものにあっては、撮影装置により撮影した画像についての情報しか表示することができず、撮影範囲外のものの存在は画面では認識できない。
【０００４】
本発明は、このような課題に鑑みてなされたものであり、その目的とするところは、撮影装置により撮影した画像とともに、マイクにより捕捉した音に基づいても情報検索を行うことができるようにした携帯情報端末を提供することである。
【課題を解決するための手段】
【０００５】
上記の目的を達成するために、本発明の携帯情報端末は、撮像手段と、前記撮像手段を介して撮像された画像を表示する表示手段と、前記表示手段にリアルタイムで表示されている画像に基づき、前記表示手段に表示された画像内の第１の対象物に関連する情報を取得する対象物関連情報取得手段を有し、前記対象物関連情報取得手段を介して取得された情報を前記表示手段に表示する携帯情報端末において、音声情報取得手段を有し、前記対象物関連情報取得手段は、さらに、前記音声情報取得手段を介して取得された音声情報に基づき、前記表示手段に表示された画像内の第１の対象物及び前記撮像手段の撮影範囲外の第２の対象物に関連する情報を取得し、前記表示手段は、さらに、前記対象物関連情報取得手段を介して取得された前記第２の対象物に関連する情報を、前記第１の対象物に関連する情報とともに、前記表示手段における該撮像手段を介して撮像された画像が表示されている表示画面に表示することを特徴としている。
【０００６】
また、本発明の携帯情報端末においては、前記音声情報取得手段は、音声情報取得範囲が前記撮像手段の撮影範囲内における一部のみの範囲と撮影範囲外を含む指向性を有するマイクで構成するのが好ましい。
【０００７】
また、本発明の携帯情報端末においては、前記音声情報取得手段は、音声情報取得範囲が前記撮像手段の撮影範囲内における全範囲と撮影範囲外を含む指向性を有するマイクで構成するのが好ましい。
【０００８】
また、本発明の携帯情報端末においては、前記音声情報取得手段は、指向性を有するマイクで構成するのが好ましい。
【０００９】
また、本発明の携帯情報端末においては、前記音声情報取得手段を介して取得された音声情報から特徴音を検出し峻別する特徴音検出手段を有するのが好ましい。
【００１０】
また、本発明の携帯情報端末においては、前記対象物関連情報取得手段が、前記第１の対象物および前記第２の対象物に関連する簡易情報を取得する簡易情報取得手段と、前記第１の対象物および前記第２の対象物に関連する詳細情報を取得する詳細情報取得手段を有し、前記撮像手段を介して撮像された撮影画像又は前記音声情報取得手段を介して取得された音声情報に基づき、得られた前記簡易情報が表示画面に表示されている、該撮像手段の撮影範囲内の第１の対象物または撮影範囲外の第２の対象物のうち、前記詳細情報取得手段を介して取得され得る詳細情報の前記表示手段への表示を所望する対象物を指定する対象物指定手段を有するのが好ましい。
【００１１】
また、本発明の携帯情報端末においては、前記撮像手段を介して撮像された撮影画像又は前記音声情報取得手段を介して取得された音声情報に基づき、該撮像手段の撮影範囲内の第１の対象物または撮影範囲外の第２の対象物に関連する情報を表示可能な対象物を抽出し、抽出された対象物について前記対象物関連情報取得手段を介して取得された関連情報を前記表示画面に表示するのが好ましい。
【００１２】
また、本発明の携帯情報システムは、上記本発明のいずれかの携帯情報端末に携帯情報端末における前記対象物関連情報取得手段を介して検索可能なデータベースを備えたサーバと、前記サーバと通信可能な通信手段を備えた、上記本発明のいずれかの携帯情報端末とからなることを特徴としている。
【発明の効果】
【００１３】
撮影範囲外を音声情報取得手段により補うため、カメラなどの撮像手段を動かすことなく、撮影範囲外の対象物についても鳴き声などをマイクで捕捉することによりその音に基づく情報を検索表示することが可能となる。
例えば、動物園で撮影装置により動物を撮影したとき、マイクにより鳴き声を捕捉することにより、撮影範囲外に存在する動物の位置や詳細説明をその場で得ることが可能となる。
【発明を実施するための最良の形態】
【００１４】
本発明の説明に先立ち、用語の定義を行うこととする。
本発明における簡易情報とは、例えば、対象物の一般名称など比較的少ない情報量でその対象物を特定できる文字情報をいう。また、本発明における詳細情報とは、例えば、対象物が動物である場合における、目、科、属、大きさ、分布、生息地、食べ物、鳴き声などの特徴を示す、簡易情報に比較して情報量の多い文字及び情報をいう。
【００１５】
図１は本発明の携帯情報端末の概略構成の一例を示す説明図である。
本発明の携帯情報端末は、撮像手段１と、表示手段２と、対象物関連情報取得手段３を有している。なお、４は制御手段、５は保存手段である。また、音声情報取得手段６を有している。
表示手段２は、１つ又は複数の表示画面２で構成されている。
そして表示画面２は、その表面がタッチパネルで構成されている。そして、表示画面２は、制御手段４からの制御命令により、撮像手段１を介して撮像された画像をリアルタイムで表示する機能に加えて、タッチパネルを介して表示されている所定の対象物を選択させる機能を備えている。
撮像手段１は、例えば表示画面２の裏側に設けられている。
【００１６】
音声情報取得手段６は、携帯情報端末の位置において聞こえる音を取得するためのものであり、各種形式のマイクが使用可能である。また、音声情報取得手段６による音声取得範囲は、撮像手段１による撮影範囲より広範囲とする。あるいは、指向性の強いマイクを使用し、撮像手段１の撮影範囲の音声は極力拾わないようにしておいてもよい。さらに、指向性の強いマイク使用する場合には、その音がどちらの方角からのものであるかを峻別するために複数本のマイクを用いることが望ましい。
【００１７】
対象物関連情報取得手段３は、抽出手段３1と、照合手段３2を有している。
抽出手段３1は、表示画面２1にリアルタイムで表示されている画像と、音声情報取得手段６により取得した音声情報の少なくとも一方から対象物を抽出する。なお、対象物を抽出する具体的な構成は、画像や音声情報から対象物を抽出することができれば、従来公知のどのような構成でも良い。
照合手段３2は、抽出手段３1を介して抽出された対象物の情報をキーとして図示省略した所定のデータベース内のデータと照合処理を行う。そして、データベース内のデータに一致するデータがある場合には、関連する情報を取得する。
保存手段５は、表示画面２1にリアルタイムで表示されている画像を記憶・保存する。
【００１８】
制御手段４は、マイクロコンピュータを備えた制御回路であり、携帯情報端末の動作を次のように制御する。
観察者が撮像手段１を観察視野に向けたときには、撮像手段１に所定範囲の観察視野を撮像させる。また、音声情報取得手段６により音声情報も同時に取得する。次いで、撮像された画像を、表示画面２1にリアルタイムで表示する。次いで、抽出手段３1に、表示画面２1にリアルタイムで表示されている画像及び音声情報の少なくとも一方から対象物を抽出させる。次いで、照合手段３2に、抽出手段３1を介して抽出された対象物の情報をキーとして図示省略した所定のデータベース内のデータと照合処理を行わせる。そして、照合する対象物に関連する情報を取得させ、取得された情報をリアルタイムで表示画面２1に表示する。
また、観察者が図示省略した保存指示ボタンを押したときには、表示画面２1にリアルタイムで表示されている画像を保存手段５に記憶・保存させる。
【００１９】
このように構成された本発明の携帯情報端末では、観察者が撮像手段１を観察視野に向けると、撮像手段１が所定範囲の観察視野（撮像手段１の撮影範囲）を撮像する。また、音声情報取得手段６により所定範囲（撮像手段１の撮影範囲よりも広い範囲）の音声情報も取得される。撮像された画像は、表示画面２1にリアルタイムで表示される。次いで、抽出手段３1が表示画面２1にリアルタイムで表示されている画像及び音声情報の少なくとも一方から対象物を抽出する。次いで、照合手段３2が、抽出手段３1を介して抽出された対象物の情報をキーとして、図示省略した所定のデータベース内のデータと照合処理を行う。そして、データベース内のデータに一致するデータがある場合には、その対象物に関連する情報を取得する。そして、表示画面２1が、取得された情報を表示する。
【００２０】
また、本発明による携帯情報システムは、上記本発明の携帯情報端末における対象物関連情報取得手段３を介して検索可能なデータベースを備えたサーバと、サーバと通信可能な通信手段を備えた、上記本発明のいずれかの携帯情報端末とからなるようにするとよい。
携帯情報端末における対象物関連情報の取得は、データベースを対象に検索する。その場合に、データベースを携帯情報端末に備えてもよいが、そうすると、容量の都合上、検索可能なデータが比較的限られたものとなる。そこで、本発明の携帯情報システムのように、データベースを携帯情報端末の外部のサーバに設け、携帯情報端末に備わる通信部を介してサーバとの交信によりデータの検索ができるようにすれば、検索するデータベースのデータ量を大きくすることができ、より多くの対象物についてより詳しい詳細情報を得ることができるようになる。
【００２１】
次に、本発明のより具体的な実施形態について説明する。
第一実施形態
図２は本発明の第一実施形態にかかる携帯情報端末の概略構成図、図３は図２の携帯情報端末の一例を示す説明図であり、(a)は表示画面の一例を示す図、(b)は携帯情報端末の使用態様を示す斜視図、(c)は観察視野の一例を示す図である。図４及び図５は第一実施形態の携帯情報端末を用いた操作及び処理手順を示すフローチャートである。なお、図１に示す構成と同じ部分については同じ符号を付し、説明は省略する。
【００２２】
第一実施形態にかかる携帯情報端末では、表示手段２は、表示画面２1と、表示画面２2を有している。
表示画面２1は、画像表示部２1ａと、対象物選択部２1ｂとしての機能を有している。画像表示部２1ａは、制御手段４からの制御命令により、撮像手段１を介して撮像された画像、及び後述する簡易情報取得手段３2ｃを介して取得された簡易情報をリアルタイムで表示する機能を有する。表示画面２2は、後述する詳細情報取得手段３2ｂを介して取得された詳細情報を表示する機能を有する。対象物選択部２1ｂは、タッチパネルを介して、表示されている対象物のうちから詳細情報の表示を所望する対象物を、観察者に選択させる機能を有する。
【００２３】
また、第一実施形態にかかる携帯情報端末では、照合手段３2は、詳細情報有無チェック手段３2ａと、簡易情報取得手段３2ｃと、詳細情報取得手段３2ｂを有して構成されている。
詳細情報有無チェック手段３2ａは、抽出手段３1を介して撮影手段１により取得した画像情報から抽出された対象物の情報をキーとして図示省略した所定のデータベース内のデータと照合処理を行う。簡易情報取得手段３2ｃは、データベース内のデータに一致するデータがある場合には、関連する簡易情報を取得し、画像表示部２1ａにおける対象物に対応する位置に供給する。詳細情報取得手段３2ｂは、データベース内のデータから関連する詳細情報を取得し、表示画面２2に供給する。
【００２４】
また、詳細情報有無チェック手段３2ａは、音声情報取得手段６により取得した音声情報から、特徴音検出手段３3により特徴音を検出して峻別し、それぞれの特徴音を抽出手段３1を介して対象物の情報をキーとして図示省略した所定のデータベース内の音データと照合処理を行う。簡易情報取得手段３2ｃは、データベース内の音データに一致するデータがある場合には、関連する簡易情報を取得し、画像表示部２1ａにおける対象物に対応する位置に、又は画像が表示されていない場合は画像表示部２1ａの適宜位置に供給する。
【００２５】
また、第一実施形態にかかる携帯情報端末では、制御手段４は、マイクロコンピュータを備えた制御回路であり、携帯情報端末の動作を次のように制御する。
観察者が撮像手段１を所望の観察視野に向けたときには、撮像手段１にその所定範囲の観察視野を撮像させる。また、音声情報取得手段６により所定範囲の音声情報も同時に取得する。次いで、撮像された画像を、表示画面２1の画像表示部２1ａにリアルタイムで表示させる。次いで、抽出手段３1に、表示画面２1にリアルタイムで表示されている画像から対象物を抽出させる。次いで、照合手段３2の詳細情報有無チェック手段３2ａに、抽出手段３1を介して抽出された対象物の情報をキーとして図示省略した所定のデータベース内のデータと照合処理を行わせる。そして、照合するデータが存在する対象物に対しては、簡易情報取得手段３2ｃに、関連する簡易情報を取得させ、取得された簡易情報を、表示されている画像に重ねて表示画面２1の画像表示部２1ａに表示させる。
【００２６】
また、音声情報取得手段６により取得した音声情報から、特徴音検出手段３3により特徴音を検出して峻別し、それぞれの特徴音を抽出手段３1を介して対象物の音情報をキーとして図示省略した所定のデータベース内の音データと照合処理を行う。簡易情報取得手段３2ｃは、データベース内の音データと照合処理を行わせる。そして、照合するデータが存在する対象物に対しては、簡易情報取得手段３2ｃに、関連する簡易情報を取得させ、取得された簡易情報を、表示されている画像に重ねて、又は画像がない場合は適宜箇所に、表示画面２1の画像表示部２1ａに表示させる。
【００２７】
また、表示画面２1の対象物選択部２1ｂにおいて、簡易情報が表示されている対象物のうち詳細情報の表示を所望する対象物の表示部位に観察者がタッチしたら、詳細情報取得手段３2ｂに、抽出手段３1を介して抽出された対象物の情報をキーとして図示省略した所定のデータベース内のデータと照合処理を行わせる。そして、照合する対象物に関連する詳細情報を取得させ、取得された詳細情報を表示画面２2に表示させる。
【００２８】
このように構成された第一実施形態の携帯情報端末を用いて所望の観察視野を観察するときの表示画面の表示内容を図３を用いてサファリパーク等の広大な領域を観察する場合について説明する。
携帯情報端末は例えば図３(b)に示すように、ヒンジで連結された上蓋と本体部より構成し、上蓋が本体部に対して開閉可能となっている。上蓋の外側の中央には撮像手段１のレンズと音声情報取得手段６のマイクがそれぞれ配設してある。また上蓋の内面には表示画面２1が設けてあり、本体部の内面には詳細情報を表示する詳細情報表示画面２2が設けてある。
【００２９】
使用時には図３(b)に示すように上蓋を９０度開く。すると、上蓋の外側の中央に設けた撮像手段１のレンズと音声情報取得手段６のマイクが取得対象となる対象物の方を向くことになる。
例えば、サファリパークにおいて図３(c)に示すように、観察視野Ａには、象Ａ１、へびＡ２、カバＡ３、蝶Ａ４、ライオンＡ５が含まれているものとする。また、これら以外の対象物についてはデータベースに詳細情報がないものとする。
ここで、観察視野Ａに対し上蓋を向けると、表示手段２となる表示画面２1に図３(a)に示すように、撮像手段１での撮影範囲の画像、象Ａ１、へびＡ２、カバＡ３、蝶Ａ４が表示されることになる。
【００３０】
一方、音声情報取得手段６により正面奥に位置する象Ａ１の鳴き声「ばおーん」と、表示画面２1には表示されない画面よりは右側にいるライオンＡ５の鳴き声「がるるる」が取得される。
【００３１】
象の鳴き声「ばおーん」とライオンの鳴き声「がるるる」は、特徴音検出手段３3により特徴音が検出されそれぞれ別の音であると認識される。そして、抽出手段３1により「ばおーん」は象の鳴き声であり、「がるるる」はライオンの鳴き声であることを識別し、対象物として抽出する。そして、表示画面２1において、象については象Ａ１の画像箇所に「ぞう」と表示する。また、ライオンについては音声取得方向である表示画面２1の右側に「ライオン」が存在していることを表示する。
【００３２】
ここで、表示された「ぞう」や「ライオン」を観察者が選択すると、詳細情報を表示する情報表示画面２2に、選択した「ぞう」又は「ライオン」の詳細情報が表示される。
【００３３】
次に、図４及び図５のフローチャートに基づき上記図３に示す携帯情報端末の操作及び処理手順について説明する。
【００３４】
撮像された撮影範囲の画像は、表示画面２1にリアルタイムで表示される（ステップＳ１１）。次いで、抽出手段３1が表示画面２1にリアルタイムで表示されている画像から対象物を抽出する（ステップＳ１２）。
【００３５】
一方、音声情報取得手段６のマイクで取得した音声情報は、特徴音検出手段３3により、特徴音を検出して峻別される（ステップＳ１３）。次いで、抽出手段３1が峻別された特徴音から対象物を抽出する（ステップＳ１４）。
【００３６】
次いで、詳細情報有無チェック手段３2ａが、抽出手段３1を介して抽出された対象物の情報をキーとして、図示省略した所定のデータベース内のデータと照合処理を行う（ステップＳ１５〜Ｓ１７）。データベース内のデータに一致するデータがある場合には、詳細情報を取得可能な対象物として検出する（ステップＳ１８）。この照合処理を抽出手段３1を介して抽出された全ての抽出データに対して行う（ステップＳ１６）。音声情報に基づく抽出データについては、表示画面２1の該当位置に、文字やマークにより抽出したものを表示する。
ここでは、象Ａ１、蛇Ａ２、カバＡ３、蝶Ａ４、ライオンＡ５については、詳細データが存在すると検出される。
【００３７】
ここで、撮像手段１を介して撮像された画像がリアルタイムで表示されている表示画面２1において、対象物関連情報取得手段３を介して詳細情報を取得可能な対象物が表示されている所望の部位を、観察者が指でタッチしたとする（ステップＳ２１）。すると、詳細情報取得手段３2ｂが、タッチした部位に表示されているものに関連する、例えば、科、目、属の名称や生息地、特徴などの詳細情報を取得する（ステップＳ２３）。取得された詳細情報は、リアルタイムで表示されている表示画面２1とは別の表示画面２2に表示される（ステップＳ２４）。
【００３８】
また、表示された音声情報に基づいて取得された「ぞう」や「ライオン」についても同様に、表示画面２1において、対象物関連情報取得手段３を介して詳細情報を取得可能な対象物が表示されている所望の部位を、観察者が指でタッチしたとする（ステップＳ２１）。すると、詳細情報取得手段３2ｂが、タッチした部位に表示されているものに関連する、例えば、科、目、属の名称や生息地、特徴などの詳細情報を取得する（ステップＳ２３）。取得された詳細情報は、リアルタイムで表示されている表示画面２1とは別の表示画面２2に表示される（ステップＳ２４）。たとえば、ライオンＡ５の存在を示す矢印を指でタッチすると、ライオンの詳細情報が表示される。
【００３９】
なお、制御手段４は、観察者が表示画面２1の所定部位をタッチした場合、タッチした部位に表示されている対象物についての詳細情報を取得可能か否かを、詳細情報有無チェック手段３2ａを介して検出したチェック結果に基づいてチェックする（ステップＳ２２）。そして、詳細情報を取得できない例えば、背景の樹木Ｚ等の対象物がタッチされた場合には、その対象物の詳細情報を表示画面２2に表示するための動作は行わない。
【００４０】
第二実施形態
図６は本発明の第二実施形態にかかる携帯情報システムの概略構成図、図７は第二実施形態の携帯情報システムを用いた操作及び処理手順を示すフローチャートである。なお、図１に示す構成と同じ部分については同じ符号を付し、説明は省略する。
【００４１】
第二実施形態の携帯情報システムは、携帯情報端末１０と、サーバ２０とからなる。
第二実施形態の携帯情報端末１０は、通信部７を有している。
サーバ２０は、通信部２１と、データベース２２を有している。データベース２２には、所定の対象物に関連する簡易情報及び詳細情報が蓄積されている。通信部２１は、携帯情報端末１０の通信部７と交信することができるようになっている。
データベース照合手段３2は、抽出手段３1を介して抽出された対象物の情報をキーとし、通信部７を介して、サーバ２０の通信部２１と交信し、データベース２２内のデータと照合処理を行う。そして、データベース２２内のデータに一致するデータがある場合には、取得した情報を表示画面２1に表示する。
【００４２】
また、制御手段４は、携帯情報端末１０の動作を次のように制御する。
観察者が撮像手段１を所定の観察視野に向けたときには、撮像手段１にその所定の観察視野を撮像させる。次いで、撮像された画像を、表示画面２1にリアルタイムで表示する。次いで、抽出手段３1に、表示画面２1にリアルタイムで表示されている画像から対象物を抽出させる。次いで、データベース照合手段３2に、抽出手段３1を介して抽出された対象物の情報をキーとし、通信部８を介して、サーバ２０の通信部２２と交信し、データベース２１内のデータと照合処理を行わせる。そして、データベース２１内のデータに一致するデータがある場合には、取得した情報を表示画面２1に表示する。
【００４３】
また、音声情報取得手段６により取得した音声情報についても、データベース照合手段３2に、抽出手段３1を介して抽出された対象物の情報をキーとし、通信部８を介して、サーバ２０の通信部２２と交信し、データベース２２内のデータと照合処理を行わせる。そして、データベース２２内のデータに一致するデータがある場合には、取得した情報を表示されている画像に重ねて、又は画像がない場合は適宜箇所に、表示画面２1に表示させる。
【００４４】
次に、図７のフローチャートに基づき第二実施形態の携帯情報システムの操作及び処理手順について説明する。
【００４５】
撮像された観察視野Ａの画像は、表示画面２1にリアルタイムで表示される（ステップＳ３１）。次いで、抽出手段３1が表示画面２1にリアルタイムで表示されている画像から対象物を抽出する（ステップＳ３２）。
【００４６】
一方、音声情報取得手段６のマイクで音声情報を取得する（ステップＳ３３）。次いで、抽出手段３1が取得した音声情報から対象物を抽出する（ステップＳ３４）。
【００４７】
次いで、データベース照合手段３2が、抽出手段３1を介して抽出された対象物の情報をキーとし、通信部８を介して、サーバ２０の通信部２１と交信し、データベース２２内のデータと照合処理を行う（ステップＳ３５〜Ｓ３７）。データベース２２内のデータに一致するデータがある場合には、取得した情報を表示画面２1に表示する（ステップＳ３８）。
【産業上の利用可能性】
【００４８】
本発明は、広大な範囲の領域に生息する複数種類の動物を観察することを必要とする分野に有用である。
【図面の簡単な説明】
【００４９】
【図１】本発明の携帯情報端末の概略構成の一例を示す説明図である。
【図２】本発明の第一実施形態にかかる携帯情報端末の概略構成図である。
【図３】図２の携帯情報端末の一例を示す説明図で、(a)は表示画面の一例を示す図、(b)は携帯情報端末の使用状態を示す斜視図、(c)は実際の観察視野の一例を示す図である。
【図４】第一実施形態の携帯情報端末を用いた操作及び処理手順を示すフローチャートである。
【図５】第一実施形態の携帯情報端末を用いた操作及び処理手順を示すフローチャートである。
【図６】本発明の第二実施形態にかかる携帯情報システムの概略構成図である。
【図７】第二実施形態の携帯情報システムを用いた操作及び処理手順を示すフローチャートである。
【符号の説明】
【００５０】
１          撮像手段
２          表示手段
２1        （リアルタイム画像）表示画面
２2        （詳細情報）表示画面
３          対象物関連情報取得手段
３1         抽出手段
３2        （データベース）照合手段
３2ａ       詳細情報有無チェック手段
３2ｂ       詳細情報取得手段
３2ｃ       簡易情報取得手段
３3         特徴音検出手段
４          制御手段
５          保存手段
６          音声情報取得手段
７          通信部
１０        携帯情報端末
２０        サーバ
２１        通信部
２２        データベース
【図１】
0005064266.tif 000002
【図２】
0005064266.tif 000003
【図３】
0005064266.tif 000004
【図４】
0005064266.tif 000005
【図５】
0005064266.tif 000006
【図６】
0005064266.tif 000007
【図７】
0005064266.tif 000008